(57)【要約】【目的】自動車窓ガラスが部分的に損傷した場合に、容易にその補修費用の算出が可能なガラス表面傷の光透過影または光透過変化を利用したガラス傷深さ簡易判別シールを提供することを目的とする。【構成】本願考案に係るガラス表面傷の光透過影または光透過変化を利用したガラス傷深さ簡易判別シールは、半透明材質に粘着剤を裏面に貼付してなるシートと、その端部表面に表示された所定の数字表示およびこれらの数字表示に対応して異なった線幅の複数の線表示がされたことを特徴とする。【選択図】　図１
0003098535.tif 000002
【実用新案登録請求の範囲】
【請求項１】
半透明材質に粘着剤を裏面に貼付してなるシートと、その端部表面に表示された所定の数字表示およびこれらの数字表示に対応して異なった線幅の複数の線表示がされたことを特徴とするガラス表面傷の光透過影または光透過変化を利用したガラス傷深さ簡易判別シール。
【請求項２】
前記シートは、厚さ１μｍ±５μｍの半透明ポリエチエレン材質の表面基材と、その裏面に塗布されたおよそ２０μｍのアクリル系ソルベント型透明粘着剤からなることを特徴とする前記請求項１に記載のガラス表面傷の光透過影または光透過変化を利用したガラス傷深さ簡易判別シール。
【請求項３】
前記数字表示は、少なくとも１、５、１０、１５の数字表示であることを特徴とする前記請求項１に記載のガラス表面傷の光透過影または光透過変化を利用したガラス傷深さ簡易判別シール。
【請求項４】
前記数字表示に対応する異なった線幅の複数の線表示は、前記５の数字表示に対応した位置に表示された線幅０．２ｍｍの線表示であることを特徴とする前記請求項１に記載のガラス表面傷の光透過影または光透過変化を利用したガラス傷深さ簡易判別シール。
【請求項５】
前記数字表示に対応する異なった線幅の複数の線表示は、前記１０の数字表示に対応した位置に表示された線幅０．３ｍｍの線表示であることを特徴とする前記請求項１に記載のガラス表面傷の光透過影または光透過変化を利用したガラス傷深さ簡易判別シール。
【請求項６】
前記数字表示に対応する異なった線幅の複数の線表示は、前記１５の数字表示に対応した位置に表示された線幅０．４ｍｍの線表示であることを特徴とする前記請求項１に記載のガラス表面傷の光透過影または光透過変化を利用したガラス傷深さ簡易判別シール。
【考案の詳細な説明】
【０００１】
【考案の属する技術分野】
本考案は、自動車等の窓ガラス表面に生じた傷やひび割れを部分的に補修する際に、補修に要する時間・作業量を推測するために、ガラス傷の深さを簡易的に判別するガラス表面傷の光透過影または光透過変化を利用したガラス傷の深さ簡易判別シールに関する。
【０００２】
【従来の技術】
自動車の窓に生じた傷やひび割れを補修する合わせガラスリペアシステムに関し、特に、ガラス面の部分修復に際して、本願出願人は、この補修に好適な自動車窓補修仮シールについて、既に出願している（特許文献１）。
【０００３】
この補修仮シールは、車の走行中に、車のフロントガラスやリアウィンドガラス等に傷やひび割れができた場合に、このフロントガラス等にはいった傷やひび割れ（以下、「損傷」という。）の部分のみを補修するガラスリペアシステムにおいて、損傷後、長時間経た後に、該補修作業を行わなければならないような場合には、この間に塵埃や雨滴が、当該損傷部分に沁み込んでしまうことがあることから、その補修作業に取掛かる前に、一時的に、当該損傷箇所に張付し、補修作業に入るまでの間に、所定寸法形状の透明フィルムを張り付け、当該損傷箇所に水分や塵埃、撥水剤成分等の進入を防ごうというものである。
【０００４】
すなわち、図５に示すように、自動車窓ガラス１０に部分的損傷１１が起きた場合に（図５（ａ）参照）、できるだけ間隔をおかずに、当該損傷部分１１に、一時的に仮シール２０で覆い（図５（ｂ）参照）、補修作業に入る場合には、この仮シール２０を剥がして（図５（ｃ）参照）、しかる後、当該損傷部分１１を露出させ、その損傷箇所１１に、アクリル酸重合体等で構成され、そのフロントガラス等と同様の屈折率、反射率を有する特殊樹脂（以下、「リペア剤」という。）１２を、フィクスチャー１３と称する治具により高圧注入し（図５（ｄ）参照）、その後、キュアリングランプ１４と称する固化治具を用いて、注入した前記リペア剤１２を固めて（図５（ｅ）参照）、該リペア剤１２が、充分に、ガラスと同化した後は、この部分を、ポリッシュ１５と称する治具を用いて表面研磨し（図５（ｆ）参照）、この損傷箇所を目立たないようにして修復するというものである（図５（ｇ）参照）。
特許文献１　特許第２９５８２６４号
【０００５】
【考案が解決しようとする課題】
ところが、自動車窓ガラス補修作業は、専ら、自動車修理者において行われるとしても、昨今、この補修に関し、補修依頼を受ける者と、実際の補修業者とは異なることがある。
【０００６】
また、そのような場合、修理業者ならば、損傷状態をみれば、瞬時に、補修に要する費用を概算することができるが、前述のように、補修依頼を受ける者が補修に習熟してない場合には、損傷箇所を見ただけでは、実際の補修に際し、どの程度の補修費となるのか検討がつかないという問題があった。
【０００７】
すなわち、軽い損傷だと思って、軽微な費用見積もりをしたところ、実際は、大きな損傷であって、見積もり以上の費用を請求しなけらばならなくなったり、大きな損傷だとして、高額の費用見積もりをしたところ、実際は、それほど大きな費用を要しないものであったということを後に知りうるようになってしまうという欠点があった。特に判別が困難なのは、傷の深さの判別である。表面上は、そんなにも大きくはない傷であっても、深い傷は、それを補修するのに、かなりの作業を要する。
【０００８】
なぜならば、深い傷を補修する際には、その傷の周囲を扁平に削り取ることを要し、かつ、単なる削り取りだけでは足りず、周囲との間で平滑性が保たれてなければ、ガラスを通した像が歪んで見えてしまうからである。ところが、ガラス表面の傷が深いか浅いかは、熟練者であっても判別は難しい。例えば、ガラス表面に１０マイクロメートル（μｍ）、５マイクロメートル（μｍ）、２マイクロメートル（μｍ）の傷が同一線状に有ったとしたら、８マイクロメートル（μｍ）を研摩補修しても、残りの２マイクロメートル（μｍ）の傷が依然として残ることとなる。
【０００９】
そうかといって、この深い傷の部分のみを研磨補修したりすると、その部分に前述の歪みが発生することになるので、時間をかけて広い領域を研磨補修する必要が生じる。自動車窓ガラス補修作業で難しいのは、傷の深さの見極めと、見極めた傷に対して必要とする作業時間を算出することである。
特に、前述するように、自動車窓ガラス補修作業の補修業者と、補修依頼を受ける受付業務を行う者とが異なる場合には、その責任が顕著に表れ、この食い違いから、ガラス補修を引き受け手がいない結果となる。
【００１０】
本願考案は、上記従来技術上の欠点を考慮して案出されたものであって、自動車窓ガラスが部分的に損傷した場合に、補修依頼を受ける者にとっても、容易に上記補修費用の算出が容易なガラス表面傷の光透過影または光透過変化を利用したガラス傷深さ簡易判別シールを提供することを目的とする。
【００１１】
【課題を解決するための手段】
本願請求項１に係るガラス表面傷の光透過影または光透過変化を利用したガラス傷深さ簡易判別シールは、半透明材質に粘着剤を裏面に貼付してなるシートと、その端部表面に表示された所定の数字表示およびこれらの数字表示に対応して異なった線幅の複数の線表示がされたことを特徴とする。
また、本願請求項２に係るガラス表面傷の光透過影または光透過変化を利用したガラス傷深さ簡易判別シールは、前記請求項１に記載のガラス表面傷の光透過影または光透過変化を利用したガラス傷深さ簡易判別シールにおいて、前記シートは、厚さ１μｍ±５μｍの半透明ポリエチエレン材質の表面基材と、その裏面に塗布されたおよそ２０μｍのアクリル系ソルベント型透明粘着剤からなることを特徴とする。
本願請求項３に係るガラス表面傷の光透過影または光透過変化を利用したガラス傷深さ簡易判別シールは、前記請求項１に記載のガラス表面傷の光透過影または光透過変化を利用したガラス傷深さ簡易判別シールにおいて、前記数字表示は、少なくとも１、５、１０、１５の数字表示であることを特徴とする。
本願請求項４に係るガラス表面傷の光透過影または光透過変化を利用したガラス傷深さ簡易判別シールは、前記請求項１に記載のガラス表面傷の光透過影または光透過変化を利用したガラス傷深さ簡易判別シールにおいて、前記数字表示に対応する異なった線幅の複数の線表示は、前記５の数字表示に対応した位置に表示された線幅０．２ｍｍの線表示であることを特徴とする。
本願請求項５に係るガラス表面傷の光透過影または光透過変化を利用したガラス傷深さ簡易判別シールは、前記請求項１に記載のガラス表面傷の光透過影または光透過変化を利用したガラス傷深さ簡易判別シールにおいて、前記数字表示に対応する異なった線幅の複数の線表示は、前記１０の数字表示に対応した位置に表示された線幅０．３ｍｍの線表示であることを特徴とする。
本願請求項６に係るガラス表面傷の光透過影または光透過変化を利用したガラス傷深さ簡易判別シールは、前記請求項１に記載のガラス表面傷の光透過影または光透過変化を利用したガラス傷深さ簡易判別シールにおいて、前記数字表示に対応する異なった線幅の複数の線表示は、前記１５の数字表示に対応した位置に表示された線幅０．４ｍｍの線表示であることを特徴とする。
【００１２】
【考案の実施の形態】
本考案に係るガラス表面傷の光透過影または光透過変化を利用したガラス傷深さ簡易判別シールは、半透明シールに予め所定の線幅を有する複数のライン線を印刷表示したものであり、判別しようとする者が、自動車窓ガラスの損傷部分にこの傷深さ簡易判別シールを当てることにより、損傷の深さを容易に判別することができる。すなわち、本願考案者は、損傷の深さが判明すれば、その補修作業における費用は、大まかな概算が可能となることを発見し、その発見をガラス傷深さ簡易判別シールに当てはめることにより、容易に、前記窓ガラスリペアの補修作業の見積もり算出を可能にしたものである。
【００１３】
【実施例】
本考案に係るガラス表面傷の光透過影または光透過変化を利用したガラス傷深さ簡易判別シールの一実施例について、図面に基いて説明する。
図１は、本考案の一実施例に係る自動車窓ガラスリペア用ガラス表面傷の光透過影または光透過変化を利用したガラス傷深さ簡易判別シールを示す概略図である。
【００１４】
図１に示すガラス表面傷の光透過影または光透過変化を利用したガラス表面傷の光透過影または光透過変化を利用したガラス傷深さ簡易判別シール１（以下、時として、「深さ判別シール１」と称する。）は、長さおよそ７０ｍｍ、幅およそ３５ｍｍ、厚さ１μｍ±５μｍの半透明ポリエチエレン材質の表面基材２からなり、その表面には、図１に示すように、その右端に、１、５、１０、１５の数字が表示された数字表示部３と、その数字の５の位置の横に数字表示に対応して、０．２ｍｍの線幅の線４が、数字の１０の位置の横に数字表示に対応して、０．３ｍｍの線幅の線５が、数字の１５の位置の横にこの数字表示に対応して、０．４ｍｍの線幅の線６が、およそ５ｍｍの間隔で略横幅いっぱいに表示してなり、さらに、裏面には、標準塗布量にしておよそ２０μｍのアクリル系ソルベント型透明粘着剤からなる粘着部７からなるものである。
また、この深さ判別シール１は、未使用状態では、白グラシンセパレーターが介在したおよそ８６μｍの剥離紙８上に形成されている。
【００１５】
次に、この深さ判別シール１を用いて、窓ガラスに生じた損傷に深さを計測する場合の例について説明する。例えば、自動車窓ガラスのフロントガラスに線状の損傷が生じたとすると、その損傷の深さを計測する者は、その損傷部分の上に、図２に示すように、上記深さ判別シール１を線状の損傷１１に直角になるように貼り付ける。図２は、ガラス１０表面の線状の損傷１１に対して深さ判別シール１直角に貼り付けた様子を示すものである。
【００１６】
このように上記深さ判別シール１をガラス１０の表面に貼り付けた後、表面から所定の光源２０によって照らす。この光源は、電球であっても、ＬＥＤ（半導体光源）であっても良く、また、場合によっては、白昼の太陽光であっても良い。一定の方向から照射される光源であれば構わない。そして、例えば、図３（ａ）に示すように、この光源２０からの光をガラス１０の裏面の２１ａまたは２１ｂの位置で損傷１１を観察する。光源２０と観察者の位置は、光源からの光の中に前記損傷１１が入って見えるような位置では、例えば、２１ａの位置では前記損傷１１の影とも言える直進影が見える。また、観察者が２１ｂの位置にあるときには、上記損傷１１は、損傷１１の開口断面の反射とも言える反射影として見える。
【００１７】
これらの原因についての詳しい知見は知り得ないが、ガラス表面に本実施の形態に係る判別シート１が貼付されることにより、ガラス表面の乱反射が押さえられ、より多くの光がガラス内に吸収され、また、その吸収された光がガラス表面の傷の深さによって、その傷深さに相当する光透過影または光透過変化が、これらの直進影や反射影として表れ、観察されるものと想像される。
【００１８】
なお、光源２０からの光が観察者の目に直接入るときは、前記直進影や反射影が見えにくい場合もあるので、図３（ｂ）に示すように、若干斜め方向から照射される位置で観察すれば、前記損傷１１の前記直進影や反射影がよく見える。観察者は、適宜、位置を変えて観察することが良い。図３（ａ）（ｂ）は、光源２０と検察者の位置によって、前記直進影や反射影がよく見えたり見にくかったりするので、より良い位置で観察する用が良いことを示す図である。
【００１９】
前記直進影や反射影が見える状態の概略を図４に示す。図４は、ガラス１０表面にある深さをもった損傷１１があり、その表面に前記深さ判別シール１が貼られた状態を示す。そして、光が太い矢印方向から照射されたときの状態を示す。これを観察者が２１ａの位置で見ると、前記損傷１１は、光の中で光が一部遮られたり屈折したりして、影状態で見えることとなる。
【００２０】
図４において、この一部が遮られたり屈折したりして影状態に見える（以下、この影状態で見えるものを便宜的「直進影３１」と称する。）。また、観察者が図４の２１ａの位置で見ると、前記損傷１１は、損傷１１の壁の一部によって光が反射し、白っぽい状態で見える（以下、この状態で見えるものを便宜上「反射影３２」と称する。）。すなわち、図４に示すように、ガラス１０表面のある深さをもった傷１１は、照射される光に対して、観察する位置によって、直進影３１または反射影３２として見えることとなる。図４において、符号３１は直進影を、符号３２は反射影を示す。
【００２１】
そこで、本願発明者は、この直進影３１または反射影３２の大きさと実際の損傷１１の深さとの関係を計測した。計測は、サーフテスタ（表面粗度計）で測定し、傷の深さと直進影または反射影の大きさと比較した。
その結果、損傷深さが５ミクロンの深さは、前記深さ判別シート１を表面に貼り付けてこの傷１１に光を照射して裏から観察したときには、前記判別シート１の表面に表示した０．２ｍｍ幅の線幅と同じに見えることを発見した。また、ガラス１０表面の深さ１０ミクロンの傷は、同様に、前記判別シート１の表面に表示した０．３ｍｍ幅の線幅と同じに、同様に、深さ１５ミクロンの傷は、シート１表面の０．４ｍｍの線幅の線と同じに見えることを発見した。
【００２２】
そこで、前述してきたように、線状の傷１１に直角に貼られた判別シート１の各線と前記直進影３１または反射影３２を比較すると、容易に、その傷の深さが判別できることとなる。
したがって、傷の深さが判別できれば、自動車ガラス等の補修作業において、それが、補修可能な範囲の傷なのか、あるいは、補修可能な範囲の傷であったとして、その補修における作業時間や難易度を容易に知ることができ、容易に、その補修に要する費用の見積もりが可能となる。
【００２３】
【考案の効果】
このようにすることにより、従来、その算定が困難であった素人においても、自動車窓ガラスリペアの補修作業の費用見積もりが簡単にできることになり、専門の補修事業者のみならず、多くの、通常の、商店等においても、窓ガラスリペアの補修の受付ができるようになる。
【００２４】
特に、ガラス表面の傷の深さの判別が困難であったため、その補修見積もり算出の困難を容易に克服でき、また、熟練者本人が見積もりを算出することから解放され、補修事業の拡大に寄与するという絶大な効果を奏することができるようになる。
【００２５】
さらに、損傷の深さの程度を事前に知ることができるので、補修作業者は、作業手順を事前に組み込み、例えば、深い損傷に対しては、長時間を要するので、充分な時間配分がとれるよう、スケジュールの調整を考慮でき、全体としての補修作業の能率が向上するという極めて優れた効果を有する。
【図面の簡単な説明】
【図１】図１は、本考案の一実施例に係る自動車窓ガラスリペア用ガラス表面傷の光透過影または光透過変化を利用したガラス傷深さ簡易判別シールを示す概略図である。
【図２】図２は、ガラス１０表面の線状の損傷１１に対して深さ判別シール１直角に貼り付けた様子を示す図である。
【図３】図３（ａ）（ｂ）は、光源２０と検察者の位置によって、前記直進影や反射影がよく見えたり見にくかったりするので、より良い位置で観察する用が良いことを示す図である。
【図４】図４は、ガラス１０表面にある深さをもった損傷１１があり、その表面に前記深さ判別シール１が貼られ、そこに光が矢印方向から照射されたときに、観察者には、前記損傷１１が光の中で光が一部遮られたり屈折したりあるいは反射したりして、直進影として見えたり、あるいは、反射影として見えたりする状態を示す概念図である。
【図５】図５は、自動車窓ガラス等に部分的損傷１１が起きた場合に、当該損傷箇所にそのガラス等と同様の屈折率、反射率を有するリペア剤を高圧注入し、その後、前記リペア剤を固めた後、この部分を表面研磨して、この損傷箇所を目立たないようにして修復するガラス補修作業の概要を示す図である。
【符号の説明】
１・・・深さ判別シート
２・・・表面基材
３・・・数字表示部
４・・・０．２ｍｍの線幅の線表示
５・・・０．３ｍｍの線幅の線表示
６・・・０．４ｍｍの線幅の線表示
７・・・粘着部
８・・・剥離紙
１０・・・ガラス
１１・・・損傷
２０・・・光源
２１ａ、２１ｂ・・・観察者位置
３１・・・直進影
３２・・・反射影
【図１】
0003098535.tif 000003
【図２】
0003098535.tif 000004
【図３】
0003098535.tif 000005
【図４】
0003098535.tif 000006
【図５】
0003098535.tif 000007